(57)【特許請求の範囲】
【請求項１】
記憶部と、
移動通信ネットワークとの無線通信を行うことができる無線通信部と、
前記移動通信ネットワークからの受信信号状態を測定する測定部と、
前記受信信号状態が閾値を下回ってからの一定時間に渡る測定が完了した際に、前記受信信号状態に関する情報と測定時の位置情報とを含む測定データを前記記憶部に記録し、その後、前記記憶部に記録されている測定データを前記移動通信ネットワークに報告するよう制御する制御部と、を備え、
前記制御部は、前記一定時間よりも短い所定時間内に前記受信信号状態が所定量低下することである急激な低下を検出すると、該急激な低下を示した受信信号状態に対応する測定データを前記記憶部への記録対象から除外するよう制御し、
前記制御部は、前記受信信号状態が前記所定時間内に前記所定量低下した後、前記受信信号状態が閾値を超えるまで、前記記憶部への前記測定データの記録を中止した状態を継続するよう制御することを特徴とする無線端末。
【請求項２】
前記受信信号状態の測定及び前記測定データの記録は、前記無線端末が待ち受け中の状態において行われることを特徴とする請求項１に記載の無線端末。
【請求項３】
移動通信ネットワークとの無線通信を行うことができる無線端末を制御する制御方法であって、
前記移動通信ネットワークからの受信信号状態を測定するステップと、
前記受信信号状態が閾値を下回ってからの一定時間に渡る測定が完了した際に、
前記一定時間よりも短い所定時間内に前記受信信号状態が所定量低下することである急激な低下を検出していない場合には、前記受信信号状態に関する情報と測定時の位置情報とを含む測定データを前記記憶部に記録するステップと、
前記急激な低下を検出した場合には、該急激な低下を示した受信信号状態に対応する測定データを前記記憶部への記録対象から除外するステップと、を備え、
前記無線端末は、前記受信信号状態が前記所定時間内に前記所定量低下した後、前記受信信号状態が閾値を超えるまで、前記記憶部への前記測定データの記録を中止した状態を継続することを特徴とする制御方法。
【発明の詳細な説明】
【技術分野】
【０００１】
本発明は、ＭＤＴをサポートする無線端末及び制御方法に関する。
【背景技術】
【０００２】
移動通信システムでは、基地局のエリア内にビルが設置される等の理由で該エリア内の受信信号状態（例えば受信電力や受信品質）が変化するため、オペレータは、測定機材を搭載した測定用車両を使用して、受信信号状態の測定を行いながら測定時の位置情報を収集するドライブテストを行っている。
【０００３】
このようなドライブテストにより、オペレータは、受信信号状態の劣化する位置又はエリア（すなわち、カバレッジ問題）を発見すると、発見したカバレッジ問題を解消するためのネットワーク最適化を行う。ここでネットワーク最適化とは、例えば基地局のパラメータを変更したり、新たに基地局を設置したりすることを意味する。
【０００４】
ドライブテストは工数が多く且つ費用が高いという課題があるため、移動通信システムの標準化プロジェクトである３ＧＰＰ（3rd Generation Partnership Project）では、ユーザが所持する無線端末を使用して受信信号状態の測定及び位置情報の収集を自動化するためのＭＤＴ（Minimization of Drive Test）の仕様策定が進められている（非特許文献１及び２参照）。
【０００５】
ＭＤＴを行うよう設定（Configuration）された無線端末は、受信信号状態を測定し、該測定の結果に関する情報と測定時の位置情報とを含む測定データを移動通信ネットワークに報告する。無線端末が通信実行中に行うＭＤＴは即座報告型（Immediate MDT）と称されており、無線端末が待ち受け中に行うＭＤＴは記録型（Logged MDT）と称されている。
【先行技術文献】
【非特許文献】
【０００６】
【非特許文献１】3GPP TR 36.805 V9.0.0:“Study on Minimization of drive-tests in Next Generation Networks”, 2009-12
【非特許文献２】3GPP TS 37.320 V10.0.0: “Radio measurement collection for Minimization of Drive Tests (MDT); Overall description; Stage 2”, 2010-12
【発明の概要】
【発明が解決しようとする課題】
【０００７】
ところで、カバレッジ問題の中には、受信信号状態が劣化する要因によっては、通常のネットワーク最適化を行っても解消できないものがある。例えば、無線端末がエレベータ内に移動してその扉が閉まる際に受信信号状態が急激に劣化するという問題は、通常のネットワーク最適化を行っても解消できない。
【０００８】
従って、そのようなカバレッジ問題はネットワーク最適化の対象外とすることが好ましいが、現在のＭＤＴの仕様では、そのようなカバレッジ問題に関する測定データも無線端末から移動通信ネットワークに報告されてしまうため、不適切なネットワーク最適化を誘発する虞がある。また、そのような不要な測定データを移動通信ネットワークに報告することによって、無線端末の負荷及び無線リソースの消費量が増加することは好ましくない。
【０００９】
そこで、本発明は、不適切なネットワーク最適化を誘発したり、負荷及びリソース消費量が増加したりすることを回避できる無線端末及び制御方法を提供することを目的とする。
【課題を解決するための手段】
【００１０】
上述した課題を解決するために、本発明は以下のような特徴を有している。
【００１１】
まず、本発明に係る無線端末の特徴は、記憶部（記憶部１４０）と、移動通信ネットワーク（例えばＥ−ＵＴＲＡＮ１０）との無線通信を行うことができる無線通信部（無線通信部１１０）と、前記移動通信ネットワークからの受信信号状態を測定する測定部（測定部１２０）と、前記測定部によって測定される受信信号状態に関する情報と測定時の位置情報とを含む測定データを前記記憶部に記録した後、前記記憶部に記録されている測定データを前記移動通信ネットワークに報告するよう制御する制御部（制御部１５０）とを備え、前記制御部は、前記測定部によって測定される受信信号状態の急激な変化（例えば、劣化）を検出すると、該急激な変化を示した受信信号状態に対応する測定データを前記記憶部への記録対象から除外するよう制御することを要旨とする。
【００１２】
このような特徴によれば、無線端末は、受信信号状態の急激な変化を検出すると、該急激な変化を示した受信信号状態に対応する測定データを記憶部への記録対象から除外する。その結果、例えば無線端末がエレベータ内に移動してその扉が閉まる際に受信信号状態が急激に劣化するというカバレッジ問題に関する測定データを移動通信ネットワークに報告しないで済むようになり、該カバレッジ問題をネットワーク最適化の対象外とすることができる。従って、上記特徴に係る無線端末は、不適切なネットワーク最適化を誘発したり、負荷及びリソース消費量が増加したりすることを回避できる。また、記憶部の記憶容量を節約することができる。
【００１３】
本発明に係る無線端末の他の特徴は、上記特徴において、前記受信信号状態の急激な変化とは、前記移動通信ネットワークからの受信信号の電力レベルが所定時間内に所定量低下したことであることを要旨とする。
【００１４】
本発明に係る無線端末の他の特徴は、上記特徴において、前記制御部は、記録条件が満たされた場合に、前記測定データを前記記憶部に記録するよう制御し、前記記録条件は、前記受信信号の電力レベルが閾値を下回ってからの一定時間に渡る測定が完了したことであり、前記所定時間は、前記一定時間よりも短いことを要旨とする。
【００１５】
本発明に係る無線端末の他の特徴は、上記特徴において、前記制御部は、前記受信信号の電力レベルが前記所定時間内に前記所定量低下した後、前記受信信号の電力レベルが閾値を超えるまで、前記記憶部への前記測定データの記録を中止した状態を継続するよう制御することを要旨とする。
【００１６】
本発明に係る無線端末の他の特徴は、上記特徴において、前記受信信号状態の測定及び前記測定データの記録は、前記無線端末が待ち受け中の状態において行われることを要旨とする。
【００１７】
本発明に係る制御方法の特徴は、移動通信ネットワークとの無線通信を行うことができる無線端末を制御する制御方法であって、前記移動通信ネットワークからの受信信号状態を測定するステップと、前記測定するステップで測定される受信信号状態が急激な変化を示していない場合に、前記測定するステップで測定される受信信号状態に関する情報と測定時の位置情報とを含む測定データを前記記憶部に記録するステップと、前記測定するステップで測定される受信信号状態が急激な変化を示した場合に、該急激な変化を示した受信信号状態に対応する測定データを前記記憶部への記録対象から除外するステップとを備えることを要旨とする。
【発明の効果】
【００１８】
本発明によれば、不適切なネットワーク最適化を誘発したり、負荷及びリソース消費量が増加したりすることを回避できる無線端末及び制御方法を提供できる。
【図面の簡単な説明】
【００１９】
【図１】本発明の実施形態に係る移動通信システムの全体概略構成図である。
【図２】本発明の実施形態に係る無線端末の構成を示すブロック図である。
【図３】ＲＳＲＰの急激な低下を検出する動作を説明するための図である。
【図４】本発明の実施形態に係る無線端末の動作を示すフローチャートである。
【発明を実施するための形態】
【００２０】
図面を参照して、本発明の実施形態について、（１）移動通信システムの概要、（２）無線端末の構成、（３）無線端末の動作、（４）実施形態の効果、（５）その他の実施形態の順に説明する。以下の実施形態における図面において、同一又は類似の部分には同一又は類似の符号を付す。
【００２１】
（１）移動通信システムの概要
図１は、本実施形態に係る移動通信システム１の全体概略構成図である。移動通信システム１は、３ＧＰＰで仕様が策定されているＬＴＥ（Long Term Evolution）に基づいて構成されており、上述したLogged MDTをサポートする。
【００２２】
図１に示すように、移動通信システム１は、無線端末ＵＥと、Ｅ−ＵＴＲＡＮ（Evolved-UMTS Terrestrial Radio Access  Network）１０と、移動管理装置ＭＭＥ／ゲートウェイ装置Ｓ−ＧＷと、保守監視装置ＯＡＭとを有する。Ｅ−ＵＴＲＡＮ１０は、複数の基地局ｅＮＢによって構成される移動通信ネットワークである。
【００２３】
無線端末ＵＥは、ユーザが所持する可搬型の無線通信装置である。無線端末ＵＥは、Ｅ−ＵＴＲＡＮ１０を構成する何れかの基地局ｅＮＢに接続（中継装置を介して接続する場合、または中継装置と接続する場合を含む）し、該基地局ｅＮＢを介して通信先との通信を実行可能に構成されている。無線端末ＵＥが通信実行中の状態はコネクテッドモードと称され、無線端末ＵＥが待ち受け中の状態はアイドルモードと称される。
【００２４】
各基地局ｅＮＢは、オペレータによって設置される固定型の無線通信装置であり、無線端末ＵＥとの無線通信を行うように構成される。各基地局ｅＮＢは、移動管理装置ＭＭＥ／ゲートウェイ装置Ｓ−ＧＷとの通信、及び保守監視装置ＯＡＭとの通信を、バックホールを介して行う。
【００２５】
移動管理装置ＭＭＥは無線端末ＵＥに対する各種モビリティ制御を行うように構成され、ゲートウェイ装置Ｓ−ＧＷは無線端末ＵＥが送受信するユーザデータの転送制御を行うように構成される。
【００２６】
保守監視装置ＯＡＭは、オペレータによって設置されるサーバ装置であり、Ｅ−ＵＴＲＡＮ１０の保守及び監視を行うように構成される。
【００２７】
本実施形態では、無線端末ＵＥの接続先の基地局ｅＮＢは、例えば保守監視装置ＯＡＭからの指示に応じて、Logged MDTを無線端末ＵＥに設定するための情報を無線端末ＵＥに送信する。
【００２８】
Logged MDTを行うよう設定された無線端末ＵＥは、アイドルモードにおいてＥ−ＵＴＲＡＮ１０からの受信信号状態を測定して記録し、アイドルモードからコネクテッドモードに移行する際に測定データをＥ−ＵＴＲＡＮ１０に報告する。以下においては、無線端末ＵＥが測定データを適宜生成する処理を「測定収集」と称する。
【００２９】
また、本実施形態では、受信信号状態の１つの指標としての参照信号受信電力（ＲＳＲＰ）を使用するが、ＲＳＲＰと共に参照信号受信品質（ＲＳＲＱ）を使用してもよい。
【００３０】
測定データは、測定の結果に関する情報と、測定時の位置情報とを含む。測定の結果に関する情報とは、例えば１又は複数の基地局ｅＮＢのセル毎のＲＳＲＰを示す情報である。位置情報とは、無線端末ＵＥがＧＰＳ／ＧＮＳＳ機能を有している場合にはＧＰＳ／ＧＮＳＳ位置情報であり、無線端末ＵＥがＧＰＳ受信機能を有していない場合にはＲＦフィンガープリント情報である。
【００３１】
無線端末ＵＥからの測定データを受信した基地局ｅＮＢは、受信した測定データを保守監視装置ＯＡＭに転送する。保守監視装置ＯＡＭは、このようにして得られた測定データに基づいてカバレッジ問題を発見すると、発見したカバレッジ問題を、オペレータに通知する、もしくは解消するためのネットワーク最適化を行う。
【００３２】
Logged MDTを無線端末ＵＥに設定する際、設定を行う基地局ｅＮＢは、Logged MDTに係る各種パラメータを指定することができる。本実施形態では、設定を行う基地局ｅＮＢは、Logged MDTのパラメータの１つである記録条件（Logging trigger）を指定するものとする。記録条件とは、無線端末ＵＥが測定データを記録するトリガを意味する。
【００３３】
カバレッジ問題の中には、ＲＳＲＰが劣化する要因によっては、通常のネットワーク最適化を行っても解消できないものがある。例えば、無線端末ＵＥがエレベータ内に移動してその扉が閉まる際にＲＳＲＰが急激に劣化するという問題は、通常のネットワーク最適化を行っても解消できない。従って、そのようなカバレッジ問題はネットワーク最適化の対象外とすることが好ましい。
【００３４】
そこで、本実施形態では、Logged MDTを行うよう設定された無線端末ＵＥは、アイドルモードにおいて、ＲＳＲＰの急激な低下を検出すると、該急激な低下を示したＲＳＲＰに対応する測定データを記録対象から除外する。
【００３５】
（２）無線端末の構成
図２は、本実施形態に係る無線端末ＵＥの構成を示すブロック図である。ここでは、無線端末ＵＥがＧＰＳ機能を有する一例を説明する。
【００３６】
図２に示すように、無線端末ＵＥは、アンテナ１０１と、無線通信部１１０と、測定部１２０と、ＧＰＳ受信機１３０と、記憶部１４０と、制御部１５０と、内部タイマ１６０と、バッテリ１７０とを有する。
【００３７】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線通信を行うように構成される。送信については、無線通信部１１０は、制御部１５０から入力される送信信号の符号化及び変調を行った後、アップコンバート及び増幅を行ってアンテナ１０１に出力する。受信については、無線通信部１１０は、アンテナ１０１から入力される受信信号の増幅及びダウンコンバートを行った後、復調及び復号を行って制御部１５０に出力する。
【００３８】
測定部１２０は、Ｅ−ＵＴＲＡＮ１０から無線通信部１１０が受信した無線信号（具体的には、参照信号）の受信電力レベル、すなわちＲＳＲＰを測定し、測定したＲＳＲＰ（以下、「ＲＳＲＰ測定値」と称する）を制御部１５０に出力する。
【００３９】
ＧＰＳ受信機１３０は、ＧＰＳ衛星からの信号を受信し、ＧＰＳによる位置情報を制御部１５０に出力する。
【００４０】
記憶部１４０は、例えばメモリを用いて構成され、無線端末ＵＥの制御等に用いられる各種の情報を記憶する。記憶部１４０は、ＲＳＲＰの急激な低下等を検出するための各種閾値と、Logged MDTに関する設定情報とを記憶する。本実施形態では、各種閾値には、ＲＳＲＰ閾値Ａと、ＲＳＲＰ閾値Ｂと、内部タイマ閾値Ａと、内部タイマ閾値Ｂとが含まれる。各閾値の詳細については後述する。
【００４１】
制御部１５０は、例えばＣＰＵを用いて構成され、無線端末ＵＥが備える各種の機能を制御する。
【００４２】
制御部１５０は、記憶部１４０に記憶されている設定情報に従って、測定部１２０から入力されるＲＳＲＰ測定値とＧＰＳ受信機１３０から入力される位置情報とを対応付けた測定データを生成し、生成した測定データをキャッシュ部１５０ａに一時的に保持（キャッシュ）する。
【００４３】
また、制御部１５０は、記憶部１４０に記憶されている設定情報の１つである記録条件に従って、キャッシュ部１５０ａに一時的に保持している測定データを記憶部１４０に記録するよう制御する。
【００４４】
そして、制御部１５０は、アイドルモードからコネクテッドモードに移行する際に、記憶部１４０に記録されている測定データをＥ−ＵＴＲＡＮ１０に報告するよう無線通信部１１０を制御する。
【００４５】
本実施形態では、記録条件としてServing cell becomes worse than threshold(SCBWTT)を使用する。記録条件としてのＳＣＢＷＴＴは、サービングセルについてのＲＳＲＰ測定値がＲＳＲＰ閾値Ａを下回ってから一定時間に渡る測定収集が完了した場合に記録を行うものである。該一定時間は、内部タイマ閾値Ａにより規定される。
【００４６】
内部タイマ１６０は、制御部１５０がＲＳＲＰの急激な低下を検出するために使用される。内部タイマ１６０は、制御部１５０によって、ＲＳＲＰ測定値がＲＳＲＰ閾値Ａを下回った際に起動される。内部タイマ１６０は、起動した後は、時間経過に従って増加するタイマ値を制御部１５０に出力する。
【００４７】
バッテリ１７０は、無線端末ＵＥの各ブロックに供給されるべき電力を蓄える。
【００４８】
このように構成された無線端末ＵＥにおいて、制御部１５０は、Logged MDTを実行中に、内部タイマ１６０から入力されるタイマ値と記憶部１４０に記憶されている各種閾値とを用いて、測定部１２０からのＲＳＲＰ測定値の急激な低下を検出する。
【００４９】
本実施形態では、ＲＳＲＰ測定値の急激な低下とは、ＲＳＲＰ測定値が、内部タイマ閾値Ｂに対応する所定時間内に、ＲＳＲＰ閾値ＡとＲＳＲＰ閾値Ｂとの差に対応する所定量低下したことを意味する。ここで、内部タイマ閾値Ｂに対応する所定時間は、内部タイマ閾値Ａに対応する一定時間よりも短い時間に設定されている。
【００５０】
制御部１５０は、ＲＳＲＰ測定値の急激な低下を検出すると、該急激な低下を示したＲＳＲＰ測定値に対応する測定データをＥ−ＵＴＲＡＮ１０への報告対象から除外するよう制御する。
【００５１】
急激な低下を示したＲＳＲＰ測定値に対応する測定データとは、例えば、ＲＳＲＰ測定値がＲＳＲＰ閾値Ａを下回ったことにより測定収集を開始してから、ＲＳＲＰ測定値の急激な低下を検出するまでの期間についての測定データを意味する。
【００５２】
本実施形態では、制御部１５０は、ＲＳＲＰ測定値の急激な低下を検出すると、急激な低下を示したＲＳＲＰ測定値に対応する測定データをキャッシュ部１５０ａから記憶部１４０に移動せずに破棄するものとする。
【００５３】
図３は、ＲＳＲＰ測定値の急激な低下を検出する動作を説明するための図である。同図では検出概念を説明する為に、ＲＳＲＰが時間経過に対して単調に減少している様子を示している。
【００５４】
図３に示すように、制御部１５０は、ＲＳＲＰ測定値がＲＳＲＰ閾値Ａを下回った時間から、ＲＳＲＰ測定値がＲＳＲＰ閾値Ｂを下回った時間までの時間差であるΔtを用いて、ＲＳＲＰの急激な低下を検出する。
【００５５】
制御部１５０は、ＲＳＲＰ測定値がＲＳＲＰ閾値Ａを下回った際に内部タイマ１６０を起動させ、ＲＳＲＰ測定値がＲＳＲＰ閾値Ｂを下回った場合に内部タイマ１６０のタイマ値を確認することでΔtを測定する。ΔtがＲＳＲＰ閾値Ｂ以下である場合は、ＲＳＲＰが急激に低下したと判断することができる。
【００５６】
（３）無線端末の動作
図４は、本実施形態に係る無線端末ＵＥの動作を示すフローチャートである。本フローは、無線端末ＵＥが、Logged MDTを行うようにＥ−ＵＴＲＡＮ１０から設定された後、アイドルモードに移行した際に開始される。まず、本フローが開始されると、制御部１５０は、ＲＳＲＰを常時測定するよう測定部１２０を制御する。
【００５７】
図４に示すように、ステップＳ２０１において、制御部１５０は、内部タイマ１６０をリセットする。
【００５８】
ステップＳ２０２において、制御部１５０は、測定部１２０から入力されるＲＳＲＰ測定値を確認する。
【００５９】
ステップＳ２０３において、制御部１５０は、ステップＳ２０２で確認したＲＳＲＰ測定値をＲＳＲＰ閾値Ａと比較する。ステップＳ２０２で確認したＲＳＲＰ測定値がＲＳＲＰ閾値Ａを超えている場合には、制御部１５０は処理をステップＳ２０２に戻す。これに対し、ステップＳ２０２で確認したＲＳＲＰ測定値がＲＳＲＰ閾値Ａ以下である場合には、制御部１５０は処理をステップＳ２０４に進める。
【００６０】
ステップＳ２０４において、制御部１５０は、内部タイマ１６０を起動する。そして、ステップＳ２０５において、制御部１５０は、測定収集を開始する。
【００６１】
ステップＳ２０６において、制御部１５０は、測定部１２０から入力されるＲＳＲＰ測定値を確認する。
【００６２】
ステップＳ２０７において、制御部１５０は、内部タイマ１６０から入力されるタイマ値を確認する。
【００６３】
ステップＳ２０８において、制御部１５０は、ステップＳ２０６で確認したＲＳＲＰ測定値をＲＳＲＰ閾値Ａと比較する。ステップＳ２０６で確認したＲＳＲＰ測定値がＲＳＲＰ閾値Ａを超えている場合には、制御部１５０は処理をステップＳ２０１に戻す。これに対し、ステップＳ２０６で確認したＲＳＲＰ測定値がＲＳＲＰ閾値Ａ以下である場合には、制御部１５０は処理をステップＳ２０９に進める。
【００６４】
ステップＳ２０９において、制御部１５０は、ステップＳ２０７で確認したタイマ値を内部タイマ閾値Ａと比較する。ステップＳ２０７で確認したタイマ値が内部タイマ閾値Ａを超えている場合には、制御部１５０は処理をステップＳ２１４に進める。これに対し、ステップＳ２０７で確認したタイマ値が内部タイマ閾値Ａ以下である場合には、制御部１５０は処理をステップＳ２１０に進める。
【００６５】
ステップＳ２１４においては、ＲＳＲＰ測定値が急激に低下することなく、内部タイマ１６０がタイムアウトして記録条件が満たされたことになるため、制御部１５０は、測定収集を終了する。そして、ステップＳ２１５において、制御部１５０は、キャッシュ部１５０ａに一時的に保持した測定データを記憶部１４０に記録するよう制御する。
【００６６】
一方、ステップＳ２１０において、制御部１５０は、ステップＳ２０６で確認したＲＳＲＰ測定値をＲＳＲＰ閾値Ｂと比較する。ステップＳ２０６で確認したＲＳＲＰ測定値がＲＳＲＰ閾値Ｂを超えている場合には、制御部１５０は処理をステップＳ２０６に戻す。これに対し、ステップＳ２０６で確認したＲＳＲＰ測定値がＲＳＲＰ閾値Ｂ以下である場合には、制御部１５０は処理をステップＳ２１１に進める。
【００６７】
ステップＳ２１１において、制御部１５０は、ステップＳ２０７で確認したタイマ値を内部タイマ閾値Ｂと比較する。ステップＳ２０７で確認したタイマ値が内部タイマ閾値Ｂを超えている場合には、制御部１５０は処理をステップＳ２０６に戻す。これに対し、ステップＳ２０７で確認したタイマ値が内部タイマ閾値Ｂ以下である場合には、ＲＳＲＰ測定値が急激に低下したことになるため、制御部１５０は処理をステップＳ２１２に進める。
【００６８】
ステップＳ２１２において、制御部１５０は、測定収集を終了する。そして、ステップＳ２１３において、制御部１５０は、キャッシュ部１５０ａに一時的に保持した測定データを記憶部１４０に記録せずに破棄する。
【００６９】
（４）実施形態の効果
以上説明したように、本実施形態によれば、Logged MDTを行うよう設定された無線端末ＵＥは、アイドルモードにおいて、ＲＳＲＰ測定値の急激な低下を検出すると、該急激な低下を示したＲＳＲＰ測定値に対応する測定データを記録対象から除外する。
【００７０】
その結果、例えば無線端末ＵＥがエレベータ内に移動してその扉が閉まる際にＲＳＲＰが急激に低下するというカバレッジ問題に関する測定データを、コネクテッドモードに移行した際にＥ−ＵＴＲＡＮ１０に報告しないで済むようになり、該カバレッジ問題をネットワーク最適化の対象外とすることができる。
【００７１】
従って、本実施形態に係る無線端末ＵＥは、不適切なネットワーク最適化を誘発したり、負荷及びリソース消費量が増加したりすることを回避できる。
【００７２】
本実施形態では、内部タイマ閾値Ｂに対応する所定時間は、内部タイマ閾値Ａに対応する一定時間よりも短い時間に設定されている。これにより、記録期間が終了する前にＲＳＲＰ測定値の急激な低下を検出することができるため、測定収集を適切に中止することができる。
【００７３】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７４】
上述した実施形態では、ＲＳＲＰ測定値がＲＳＲＰ閾値Ａを下回ってから測定収集を開始していたが、ＲＳＲＰ測定値がＲＳＲＰ閾値Ａを下回る以前の測定データもＥ−ＵＴＲＡＮ１０に報告する必要がある場合は、ステップＳ２０１以降であって且つステップＳ２０４以前において、キャッシュ部１５０ａの容量の範囲内で最新の測定データを収集してもよい。
【００７５】
上述した実施形態では、タイムアウト以前に受信信号状態が改善した場合にはキャッシュ部１５０ａ内の測定データを記憶部１４０に記録せずに破棄していた。しかしながら、内部タイマ値が内部タイマ閾値Ａを超える以前にＲＳＲＰ測定値がＲＳＲＰ閾値Ａを上回った場合に、即座に測定収集を終了せずにタイムアウトとなるまで測定収集を継続してもよい。
【００７６】
上述した実施形態では、ＲＳＲＰ測定値がＲＳＲＰ閾値Ａを下回った時間からＲＳＲＰ閾値Ｂを下回った時間までの時間差であるΔtを内部タイマ１６０を用いて取得し、Δtが内部タイマ閾値Ｂ以下であるか否かに応じて、ＲＳＲＰ測定値が急激に低下したか否かを判定していた。しかしながら、このような判定基準に限らず、ある一定時間におけるＲＳＲＰ変化量から算出される変化の傾きを判定基準にしても良い。例えば、ある一定時間内でのＲＳＲＰ測定値の低下量を取得し、該低下量を閾値と比較し、該低下量が該閾値を超えた場合にＲＳＲＰ測定値が急激に低下したと判定してもよい。
【００７７】
上述した実施形態では、測定データの記録を中止した後、記録を再開可能にするための動作について特に説明していなかったが、測定データの記録を中止した後、記録を再開可能な状態としてもよい。この場合、無線端末ＵＥの制御部１５０は、ＲＳＲＰ測定値が急激に低下したことを検出した後、ＲＳＲＰ測定値がＲＳＲＰ閾値Ａを超えるまで、測定データの記録を中止した状態を継続するよう制御してもよい。
【００７８】
上述した実施形態では、記録条件としてＳＣＢＷＴＴを使用していたが、ＳＣＢＷＴＴに限らず、PeriodicやTransmit power headroom becomes less than threshold等の他の記録条件を使用してもよい。Periodicとは、周期的に記録を行うという記録条件であり、Transmit power headroom becomes less than thresholdとは、送信電力余裕が閾値を下回った際に記録を行うという記録条件である。
【００７９】
上述した実施形態では、３ＧＰＰで仕様が策定されているＬＴＥに基づいて構成される移動通信システムを例に説明したが、ＬＴＥに限らず、Ｗ−ＣＤＭＡ（Wideband Code Division Multiple Access）等の他の移動通信システムに対して本発明を適用してもよい。
【００８０】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８１】
ＵＥ…無線端末、ｅＮＢ…基地局、ＭＭＥ…移動管理装置、ＯＡＭ…保守監視装置、Ｓ−ＧＷ…ゲートウェイ装置、１…移動通信システム、１０…Ｅ−ＵＴＲＡＮ、１０１…アンテナ、１１０…無線通信部、１２０…測定部、１３０…ＧＰＳ受信機、１４０…記憶部、１５０…制御部、１５０ａ…キャッシュ部、１６０…内部タイマ、１７０…バッテリ１７０
【図１】
0005705596.tif 000002
【図２】
0005705596.tif 000003
【図３】
0005705596.tif 000004
【図４】
0005705596.tif 000005